(57)【特許請求の範囲】
【請求項１】
アップリンク伝送方法であって、
端末装置はネットワーク装置から送信された、前記端末装置の少なくとも１つのアップリンク伝送チャネルに対応するビームを指示するための指示情報を受信し、各アップリンク伝送チャネルに対応するビームは前記各アップリンク伝送チャネルを伝送することに用いられることと、
前記端末装置は前記指示情報に基づいてアップリンク伝送を行うことと、を含み、
前記少なくとも１つのアップリンク伝送チャネルは物理アップリンク共有チャネル（ＰＵＳＣＨ）及び物理アップリンク制御チャネル（ＰＵＣＣＨ）を含み、前記ＰＵＳＣＨ及び前記ＰＵＣＣＨに同一のビームが対応することを特徴とするアップリンク伝送方法。
【請求項２】
前記指示情報は前記少なくとも１つのアップリンク伝送チャネルにおける各アップリンク伝送チャネルに対応するビームの情報を含むことを特徴とする請求項１に記載の方法。
【請求項３】
前記指示情報には前記ＰＵＳＣＨに対応するビームの情報、及び前記ＰＵＣＣＨに対応するビームの情報が含まれることを特徴とする請求項２に記載の方法。
【請求項４】
前記各アップリンク伝送チャネルに対応するビームの情報は前記各アップリンク伝送チャネルに対応するビームのビーム識別子を含むことを特徴とする請求項２に記載の方法。
【請求項５】
前記各アップリンク伝送チャネルに対応するビームの情報は前記各アップリンク伝送チャネルに対応するビームのビーム番号を含み、前記各アップリンク伝送チャネルに対応するビームのビーム番号は、前記各アップリンク伝送チャネルに対応するビームが予め設定されたビーム群におけるどのビームであるかを指示することに用いられることを特徴とする請求項１に記載の方法。
【請求項６】
前記ビーム群は前記ネットワーク装置が高層シグナリングにより前記端末装置に設定したビーム群であることを特徴とする請求項５に記載の方法。
【請求項７】
前記指示情報は端末装置の特定指示情報であり、又は前記指示情報は１組の端末装置の特定指示情報であり、又は前記指示情報は前記ネットワーク装置がダウンリンク制御情報ＤＣＩによって送信したものであることを特徴とする請求項１〜６のいずれか１項に記載の方法。
【請求項８】
アップリンク伝送方法であって、
ネットワーク装置は端末装置の少なくとも１つのアップリンク伝送チャネルに対応するビームを指示するための指示情報を生成し、各アップリンク伝送チャネルに対応するビームは前記各アップリンク伝送チャネルを伝送することに用いられることと、
前記ネットワーク装置は前記端末装置に前記指示情報を送信することと、を含み、
前記少なくとも１つのアップリンク伝送チャネルは物理アップリンク共有チャネル（ＰＵＳＣＨ）及び物理アップリンク制御チャネル（ＰＵＣＣＨ）を含み、前記ＰＵＳＣＨ及び前記ＰＵＣＣＨに同一のビームが対応することを特徴とするアップリンク伝送方法。
【請求項９】
前記指示情報は前記少なくとも１つのアップリンク伝送チャネルにおける各アップリンク伝送チャネルに対応するビームの情報を含むことを特徴とする請求項８に記載の方法。
【請求項１０】
前記指示情報には前記ＰＵＳＣＨに対応するビームの情報、及び前記ＰＵＣＣＨに対応するビームの情報が含まれることを特徴とする請求項９に記載の方法。
【請求項１１】
前記各アップリンク伝送チャネルに対応するビームの情報は前記各アップリンク伝送チャネルに対応するビームのビーム識別子を含むことを特徴とする請求項９に記載の方法。
【請求項１２】
前記各アップリンク伝送チャネルに対応するビームの情報は前記各アップリンク伝送チャネルに対応するビームのビーム番号を含み、前記各アップリンク伝送チャネルに対応するビームのビーム番号は前記各アップリンク伝送チャネルに対応するビームが予め設定されたビーム群におけるどのビームであるかを指示することに用いられることを特徴とする請求項８に記載の方法。
【請求項１３】
前記ビーム群は前記ネットワーク装置が高層シグナリングにより前記端末装置に設定したビーム群であることを特徴とする請求項１２に記載の方法。
【請求項１４】
前記指示情報は端末装置の特定指示情報であり、又は前記指示情報は１組の端末装置の特定指示情報であり、
又は、前記指示情報は前記ネットワーク装置がダウンリンク制御情報ＤＣＩによって送信したものであることを特徴とする請求項８〜１３のいずれか１項に記載の方法。
【請求項１５】
端末装置であって、
ネットワーク装置から送信された、前記端末装置の少なくとも１つのアップリンク伝送チャネルに対応するビームを指示するための指示情報を受信することに用いられ、各アップリンク伝送チャネルに対応するビームは前記各アップリンク伝送チャネルを伝送することに用いられる受信ユニットと、
前記指示情報に基づいてアップリンク伝送を行うための伝送ユニットと、を含み、
前記少なくとも１つのアップリンク伝送チャネルは物理アップリンク共有チャネル（ＰＵＳＣＨ）及び物理アップリンク制御チャネル（ＰＵＣＣＨ）を含み、前記ＰＵＳＣＨ及び前記ＰＵＣＣＨに同一のビームが対応することを特徴とする端末装置。
【請求項１６】
前記指示情報は前記少なくとも１つのアップリンク伝送チャネルにおける各アップリンク伝送チャネルに対応するビームの情報を含むことを特徴とする請求項１５に記載の端末装置。
【請求項１７】
前記指示情報には前記ＰＵＳＣＨに対応するビームの情報、及び前記ＰＵＣＣＨに対応するビームの情報が含まれることを特徴とする請求項１６に記載の端末装置。
【請求項１８】
前記各アップリンク伝送チャネルに対応するビームの情報は前記各アップリンク伝送チャネルに対応するビームのビーム識別子を含むことを特徴とする請求項１６に記載の端末装置。
【請求項１９】
前記各アップリンク伝送チャネルに対応するビームの情報は前記各アップリンク伝送チャネルに対応するビームのビーム番号を含み、前記各アップリンク伝送チャネルに対応するビームのビーム番号は前記各アップリンク伝送チャネルに対応するビームが予め設定されたビーム群におけるどのビームであるかを指示することに用いられることを特徴とする請求項１５に記載の端末装置。
【請求項２０】
前記ビーム群は前記ネットワーク装置が高層シグナリングにより前記端末装置に設定したビーム群であることを特徴とする請求項１９に記載の端末装置。
【請求項２１】
前記指示情報は端末装置の特定指示情報であり、又は前記指示情報は１組の端末装置の特定指示情報であり、又は前記指示情報は前記ネットワーク装置がダウンリンク制御情報ＤＣＩによって送信したものであることを特徴とする請求項１５〜２０のいずれか１項に記載の端末装置。
【請求項２２】
ネットワーク装置であって、
端末装置の少なくとも１つのアップリンク伝送チャネルに対応するビームを指示するための指示情報を生成することに用いられ、各アップリンク伝送チャネルに対応するビームは前記各アップリンク伝送チャネルを伝送することに用いられる生成ユニットと、
前記端末装置に前記指示情報を送信するための送信ユニットと、を含み、
前記少なくとも１つのアップリンク伝送チャネルは物理アップリンク共有チャネル（ＰＵＳＣＨ）及び物理アップリンク制御チャネル（ＰＵＣＣＨ）を含み、前記ＰＵＳＣＨ及び前記ＰＵＣＣＨに同一のビームが対応することを特徴とするネットワーク装置。
【請求項２３】
前記指示情報は前記少なくとも１つのアップリンク伝送チャネルにおける各アップリンク伝送チャネルに対応するビームの情報を含むことを特徴とする請求項２２に記載のネットワーク装置。
【請求項２４】
前記指示情報には前記ＰＵＳＣＨに対応するビームの情報、及び前記ＰＵＣＣＨに対応するビームの情報が含まれることを特徴とする請求項２３に記載のネットワーク装置。
【請求項２５】
前記各アップリンク伝送チャネルに対応するビームの情報は前記各アップリンク伝送チャネルに対応するビームのビーム識別子を含むことを特徴とする請求項２３に記載のネットワーク装置。
【請求項２６】
前記各アップリンク伝送チャネルに対応するビームの情報は前記各アップリンク伝送チャネルに対応するビームのビーム番号を含み、前記各アップリンク伝送チャネルに対応するビームのビーム番号は、前記各アップリンク伝送チャネルに対応するビームが予め設定されたビーム群におけるどのビームであるかを指示することに用いられることを特徴とする請求項２２に記載のネットワーク装置。
【請求項２７】
前記ビーム群は前記ネットワーク装置が高層シグナリングにより前記端末装置に設定したビーム群であることを特徴とする請求項２６に記載のネットワーク装置。
【請求項２８】
前記指示情報は端末装置の特定指示情報であり、又は前記指示情報は１組の端末装置の特定指示情報であり、
又は、前記指示情報は前記ネットワーク装置がダウンリンク制御情報ＤＣＩによって送信したものであることを特徴とする請求項２２〜２７のいずれか１項に記載のネットワーク装置。
【発明の詳細な説明】
【技術分野】
【０００１】
本発明の実施例は通信分野に関し、より具体的に、アップリンク伝送方法、端末装置及びネットワーク装置に関する。
【背景技術】
【０００２】
将来の無線通信システムにおいて、適用周波数帯域の拡張に伴い、カバレッジに対する要求が高まり、従って、ビームフォーミング技術は重要な技術としてネットワークカバレッジ能力を改善する。
【０００３】
将来の無線通信システム、例えば５Ｇ通信システムはより高い通信周波数帯域を利用する。より高い通信周波数帯域、基地局及び端末装置の間のビーム（ｂｅａｍ）が障害物、ＵＥの移動等の要素で遮断（ｂｌｏｃｋｅｄ）されやすいため、端末装置のアップリンク伝送に失敗し、ネットワーク装置と端末装置との通信品質に悪影響を与えてしまう。
【発明の概要】
【発明が解決しようとする課題】
【０００４】
ビームが遮断されたため、アップリンク伝送に失敗するという問題を解決するために、本発明の実施例はアップリンク伝送方法、端末装置及びネットワーク装置を提供する。
【課題を解決するための手段】
【０００５】
第１態様はアップリンク伝送方法を提供し、端末装置がネットワーク装置から送信された、前記端末装置の少なくとも１つのアップリンク伝送チャネルに対応するビームを指示するための指示情報を受信し、各アップリンク伝送チャネルに対応するビームは前記各アップリンク伝送チャネルを伝送することに用いられることと、前記端末装置が前記指示情報に基づいてアップリンク伝送を行うことと、を含む。
【０００６】
第１態様を参照して、第１態様のいくつかの実現方式では、前記指示情報はターゲットビームの情報を含み、前記指示情報は具体的に前記少なくとも１つのアップリンク伝送チャネルがいずれも前記ターゲットビームを利用してアップリンク伝送を行うように指示することに用いられる。
【０００７】
第１態様を参照して、第１態様のいくつかの実現方式では、前記ターゲットビームの情報は前記ターゲットビームのビーム識別子を含む。
【０００８】
第１態様を参照して、第１態様のいくつかの実現方式では、前記ターゲットビームの情報は前記ターゲットビームのビーム番号を含み、前記ターゲットビームのビーム番号は前記ターゲットビームが予め設定されたビーム群におけるどのビームであるかを指示することに用いられる。
【０００９】
第１態様を参照して、第１態様のいくつかの実現方式では、前記指示情報は前記少なくとも１つのアップリンク伝送チャネルにおける各アップリンク伝送チャネルに対応するビームの情報を含む。
【００１０】
第１態様を参照して、第１態様のいくつかの実現方式では、前記各アップリンク伝送チャネルに対応するビームの情報は前記各アップリンク伝送チャネルに対応するビームのビーム識別子を含む。
【００１１】
第１態様を参照して、第１態様のいくつかの実現方式では、前記各アップリンク伝送チャネルに対応するビームの情報は前記各アップリンク伝送チャネルに対応するビームのビーム番号を含み、前記各アップリンク伝送チャネルに対応するビームのビーム番号は、前記各アップリンク伝送チャネルに対応するビームが予め設定されたビーム群におけるどのビームであるかを指示することに用いられる。
【００１２】
第１態様を参照して、第１態様のいくつかの実現方式では、前記ビーム群は前記ネットワーク装置が高層シグナリングにより前記端末装置に設定したビーム群である。
【００１３】
第１態様を参照して、第１態様のいくつかの実現方式では、前記少なくとも１つのアップリンク伝送チャネルが前記端末装置のアップリンク伝送チャネルの一部であり、前記端末装置の前記アップリンク伝送チャネルの一部以外の残りのアップリンク伝送チャネルに対応するビームは変化しないように維持する。
【００１４】
第１態様を参照して、第１態様のいくつかの実現方式では、前記端末装置が前記指示情報に基づいてアップリンク伝送を行うことは、前記端末装置が前記指示情報に基づいて前記端末装置の各アップリンク伝送チャネルに対応するビームを決定することと、前記端末装置が前記端末装置の各アップリンク伝送チャネルに対応するビームに基づいて前記アップリンク伝送を行うことと、を含む。
【００１５】
第１態様を参照して、第１態様のいくつかの実現方式では、前記端末装置のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記端末装置が前記端末装置の各アップリンク伝送チャネルに対応するビームに基づいて前記アップリンク伝送を行うことは、前記第１アップリンク伝送チャネル及び前記第２アップリンク伝送チャネルによって占用された時間領域リソースが重複した場合、前記端末装置の送信電力が不足であると、前記端末装置が前記第１アップリンク伝送チャネル又は前記第２アップリンク伝送チャネルに対してパンクチャリング処理を行い、又は、前記第１アップリンク伝送チャネル又は前記第２アップリンク伝送チャネルの送信電力を調整することを含む。
【００１６】
第１態様を参照して、第１態様のいくつかの実現方式では、前記端末装置のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記端末装置が前記端末装置の各アップリンク伝送チャネルに対応するビームに基づいて前記アップリンク伝送を行うことは、前記第１アップリンク伝送チャネル及び前記第２アップリンク伝送チャネルによって占用された時間領域リソースが重複した場合、又は、前記第１アップリンク伝送チャネル及び前記第２アップリンク伝送チャネルによって占用された時間領域リソースの重複度がプリセット閾値より大きい場合、前記端末装置が前記第２アップリンク伝送チャネルに対応するビームによって前記第１アップリンク伝送チャネルを伝送することを含む。
【００１７】
第１態様を参照して、第１態様のいくつかの実現方式では、前記端末装置が前記端末装置の各アップリンク伝送チャネルに対応するビームに基づいて前記アップリンク伝送を行うことは、更に、前記第１アップリンク伝送チャネル及び前記第２アップリンク伝送チャネルによって占用された時間領域リソースが重複しない場合、又は、前記第１アップリンク伝送チャネル及び前記第２アップリンク伝送チャネルによって占用された時間領域リソースの重複度がプリセット閾値より小さい場合、前記端末装置が前記第１アップリンク伝送チャネルに対応するビームによって前記第１アップリンク伝送チャネルを伝送することを含む。
【００１８】
第１態様を参照して、第１態様のいくつかの実現方式では、前記ネットワーク装置は第１ネットワーク装置であり、前記第１ネットワーク装置と前記端末装置とが補助ビームによって通信し、更に前記端末装置と第２ネットワーク装置とが主ビームによって通信し、前記端末装置がネットワーク装置から送信された指示情報を受信することは、前記主ビームが遮断された場合、前記端末装置は前記第１ネットワーク装置が前記補助ビームによって送信した前記指示情報を受信し、前記指示情報は前記端末装置が前記補助ビームを利用してアップリンク伝送を行うように指示することに用いられることを含む。
【００１９】
第１態様を参照して、第１態様のいくつかの実現方式では、前記ネットワーク装置は第１ネットワーク装置であり、前記端末装置がネットワーク装置から送信された指示情報を受信することは、前記端末装置が前記第１ネットワーク装置から送信された前記指示情報を受信することを含み、前記指示情報は前記端末装置が第２ネットワーク装置に切り替えて、且つ前記少なくとも１つのアップリンク伝送チャネルに対応するビームに基づいて前記第２ネットワーク装置とアップリンク伝送を行うように指示することに用いられることを含む。
【００２０】
第１態様を参照して、第１態様のいくつかの実現方式では、前記端末装置のアップリンク伝送チャネルは第１アップリンク伝送チャネル及び第２アップリンク伝送チャネルを含み、前記第１アップリンク伝送チャネルは物理アップリンク制御チャネルＰＵＣＣＨであり、前記第２アップリンク伝送チャネルは物理アップリンク共有チャネルＰＵＳＣＨである。
【００２１】
第１態様を参照して、第１態様のいくつかの実現方式では、前記指示情報は端末装置の特定指示情報であり、又は前記指示情報は１組の端末装置の特定指示情報である。
【００２２】
第１態様を参照して、第１態様のいくつかの実現方式では、前記指示情報は前記ネットワーク装置がダウンリンク制御情報ＤＣＩによって送信したものである。
【００２３】
第２態様はアップリンク伝送方法を提供し、ネットワーク装置が指示情報を生成し、前記指示情報は前記端末装置の少なくとも１つのアップリンク伝送チャネルに対応するビームを指示することに用いられ、各アップリンク伝送チャネルに対応するビームは前記各アップリンク伝送チャネルを伝送することに用いられることと、前記ネットワーク装置が前記端末装置に前記指示情報を送信することと、を含む。
【００２４】
第２態様を参照して、第２態様のいくつかの実現方式では、前記指示情報はターゲットビームの情報を含み、前記指示情報は具体的に前記少なくとも１つのアップリンク伝送チャネルがいずれも前記ターゲットビームを利用してアップリンク伝送を行うように指示することに用いられる。
【００２５】
第２態様を参照して、第２態様のいくつかの実現方式では、前記ターゲットビームの情報は前記ターゲットビームのビーム識別子を含む。
【００２６】
第２態様を参照して、第２態様のいくつかの実現方式では、前記ターゲットビームの情報は前記ターゲットビームのビーム番号を含み、前記ターゲットビームのビーム番は前記ターゲットビームが予め設定されたビーム群におけるどのビームであるかを指示することに用いられる。
【００２７】
第２態様を参照して、第２態様のいくつかの実現方式では、前記指示情報は前記少なくとも１つのアップリンク伝送チャネルにおける各アップリンク伝送チャネルに対応するビームの情報を含む。
【００２８】
第２態様を参照して、第２態様のいくつかの実現方式では、前記各アップリンク伝送チャネルに対応するビームの情報は前記各アップリンク伝送チャネルに対応するビームのビーム識別子を含む。
【００２９】
第２態様を参照して、第２態様のいくつかの実現方式では、前記各アップリンク伝送チャネルに対応するビームの情報は前記各アップリンク伝送チャネルに対応するビームのビーム番号を含み、前記各アップリンク伝送チャネルに対応するビームのビーム番号は、前記各アップリンク伝送チャネルに対応するビームが予め設定されたビーム群におけるどのビームであるかを指示することに用いられる。
【００３０】
第２態様を参照して、第２態様のいくつかの実現方式では、前記ビーム群は前記ネットワーク装置が高層シグナリングにより前記端末装置に設定したビーム群である。
【００３１】
第２態様を参照して、第２態様のいくつかの実現方式では、前記少なくとも１つのアップリンク伝送チャネルは前記端末装置のアップリンク伝送チャネルの一部であり、前記端末装置の前記アップリンク伝送チャネルの一部以外の残りのアップリンク伝送チャネルに対応するビームは変化しないように維持する。
【００３２】
第２態様を参照して、第２態様のいくつかの実現方式では、前記端末装置のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記方法は、更に、前記第１アップリンク伝送チャネル及び前記第２アップリンク伝送チャネルによって占用された時間領域リソースが重複した場合、又は、前記第１アップリンク伝送チャネル及び前記第２アップリンク伝送チャネルによって占用された時間領域リソースの重複度がプリセット閾値より大きい場合、前記ネットワーク装置が前記第２アップリンク伝送チャネルに対応するビームによって前記第１アップリンク伝送チャネルを受信することを含む。
【００３３】
第２態様を参照して、第２態様のいくつかの実現方式では、前記方法は、更に、前記第１アップリンク伝送チャネル及び前記第２アップリンク伝送チャネルによって占用された時間領域リソースが重複しない場合、又は、前記第１アップリンク伝送チャネル及び前記第２アップリンク伝送チャネルによって占用された時間領域リソースの重複度がプリセット閾値より小さい場合、前記ネットワーク装置が前記第１アップリンク伝送チャネルに対応するビームによって前記第１アップリンク伝送チャネルを受信することを含む。
【００３４】
第２態様を参照して、第２態様のいくつかの実現方式では、前記ネットワーク装置は第１ネットワーク装置であり、前記第１ネットワーク装置と前記端末装置とが補助ビームによって通信し、更に前記端末装置と第２ネットワーク装置とが主ビームによって通信し、前記ネットワーク装置が前記端末装置に前記指示情報を送信することは、前記主ビームが遮断された場合、前記第１ネットワーク装置が補助ビームによって前記端末装置に前記指示情報を送信し、前記指示情報は前記端末装置が前記補助ビームを利用してアップリンク伝送を行うように指示することに用いられることを含む。
【００３５】
第２態様を参照して、第２態様のいくつかの実現方式では、前記ネットワーク装置は第１ネットワーク装置であり、前記ネットワーク装置が前記端末装置に前記指示情報を送信することは、前記第１ネットワーク装置が前記端末装置に前記指示情報を送信し、前記指示情報は前記端末装置が第２ネットワーク装置に切り替えて、且つ前記少なくとも１つのアップリンク伝送チャネルに対応するビームに基づいて前記第２ネットワーク装置とアップリンク伝送を行うように指示することに用いられることを含む。
【００３６】
第２態様を参照して、第２態様のいくつかの実現方式では、前記端末装置のアップリンク伝送チャネルは第１アップリンク伝送チャネル及び第２アップリンク伝送チャネルを含み、前記第１アップリンク伝送チャネルは物理アップリンク制御チャネルＰＵＣＣＨであり、前記第２アップリンク伝送チャネルは物理アップリンク共有チャネルＰＵＳＣＨである。
【００３７】
第２態様を参照して、第２態様のいくつかの実現方式では、前記指示情報は端末装置の特定指示情報であり、又は前記指示情報は１組の端末装置の特定指示情報である。
【００３８】
第２態様を参照して、第２態様のいくつかの実現方式では、前記指示情報は前記ネットワーク装置がダウンリンク制御情報ＤＣＩによって送信したものである。
【００３９】
第３態様は端末装置を提供し、第１態様における方法を実行するためのユニットを含む。
【００４０】
第４態様はネットワーク装置を提供し、第２態様における方法を実行するためのユニットを含む。
【００４１】
第５態様は端末装置を提供し、メモリ、プロセッサ及び送受信機を備え、前記メモリはプログラムを記憶することに用いられ、前記プロセッサはプログラムを実行することに用いられ、前記プログラムが実行されるとき、前記プロセッサが前記送受信機によって第１態様における方法を実行する。
【００４２】
第６態様はネットワーク装置を提供し、メモリ、プロセッサ及び送受信機を備え、前記メモリはプログラムを記憶することに用いられ、前記プロセッサはプログラムを実行することに用いられ、前記プログラムが実行されるとき、前記プロセッサが前記送受信機によって第２態様における方法を実行する。
【００４３】
第７態様はコンピュータ可読媒体を提供し、前記コンピュータ可読媒体には端末装置が実行するためのプログラムコードが記憶され、前記プログラムコードは第１態様における方法を実行するための命令を含む。
【００４４】
第８態様はコンピュータ可読媒体を提供し、前記コンピュータ可読媒体にはネットワーク装置が実行するためのプログラムコードが記憶され、前記プログラムコードは第２態様における方法を実行するための命令を含む。
【発明の効果】
【００４５】
本発明の実施例において、ネットワーク装置が端末装置に指示情報を送信し、端末装置の少なくとも１つのアップリンク伝送チャネルに対応するビームを指示し、それにより端末装置のアップリンク伝送チャネルに対応するビームを柔軟に調整し、例えば、端末装置のあるアップリンク伝送チャネルに対応するビームが遮断されたとき、ネットワーク装置が端末装置のアップリンク伝送チャネルに新しいビームを割り当てることができ、それによって、ビームが遮断されたために発生するアップリンク伝送失敗の問題が解決される。
【図面の簡単な説明】
【００４６】
【図１】図１は本発明の実施例のアップリンク伝送方法の模式的なフローチャートである。
【図２】図２は本発明の実施例のアップリンク伝送方法の模式的なフローチャートである。
【図３】図３は本発明の実施例の端末装置の模式的なブロック図である。
【図４】図４は本発明の実施例のネットワーク装置の模式的なブロック図である。
【図５】図５は本発明の実施例の端末装置の模式的なブロック図である。
【図６】図６は本発明の実施例のネットワーク装置の模式的なブロック図である。
【発明を実施するための形態】
【００４７】
以下、本発明の実施例の図面を参照しながら、本発明の実施例の技術案を明確且つ完全に説明する。
【００４８】
本発明の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ロングタームエボリューションアドバンスド（ＬＴＥ−Ａ：Ａｄｖａｎｃｅｄ  ｌｏｎｇ  ｔｅｒｍ  ｅｖｏｌｕｔｉｏｎ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＮＲ（Ｎｅｗ  Ｒａｄｉｏ  Ａｃｃｅｓｓ  Ｔｅｃｈｎｏｌｏｇｙ）、５Ｇ等に適用されてもよいと理解すべきである。
【００４９】
更に、本発明の実施例において、端末装置は移動局（ＭＳ：Ｍｏｂｉｌｅ  Ｓｔａｔｉｏｎ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（ＵＥ：Ｕｓｅｒ  Ｅｑｕｉｐｍｅｎｔ）、ハンドセット（ｈａｎｄｓｅｔ）及びポータブル装置（ｐｏｒｔａｂｌｅ  ｅｑｕｉｐｍｅｎｔ）等を含んでもよいが、それらに限らず、該端末装置は無線アクセスネットワーク（ＲＡＮ：Ｒａｄｉｏ  Ａｃｃｅｓｓ  Ｎｅｔｗｏｒｋ）経由で１つ又は複数のコアネットワークと通信することができ、例えば、端末装置は携帯電話（「セルラー方式」電話とも称される）、無線通信機能を有するコンピュータ等であってもよいし、ポータブル、ポケットサイズ、手持ち式、コンピュータに内蔵された又は車載のモバイルデバイスであってもよいと理解すべきである。
【００５０】
本発明の実施例において、ネットワーク装置はアクセスネットワーク装置であってもよく、例えば基地局、送受信ポイント（ＴＲＰ：Ｔｒａｎｓｍｉｔ  ａｎｄ  Ｒｅｃｅｉｖｅ  Ｐｏｉｎｔ）又はアクセスポイントであってもよく、基地局はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、ＬＴＥにおける発展型基地局（ｅＮＢ又はｅ−ＮｏｄｅＢ：ｅｖｏｌｖｅｄ  Ｎｏｄｅ  Ｂ）であってもよく、更にＮＲ又は５Ｇの基地局（ｇＮＢ）であってもよく、本発明の実施例はこれを限定しない。
【００５１】
本発明の実施例におけるビームはビームフォーミング信号（ｂｅａｍｆｏｒｍｅｄ  ｓｉｇｎａｌ）と称されてもよいと理解すべきであり、以下は全てビームを例として説明する。
【００５２】
ビームが遮断されたために発生するアップリンク伝送失敗を避けるために、本発明の実施例は主にネットワーク装置によって端末装置のアップリンク伝送チャネルに対応するビームを指示又は設定し、それにより端末装置のアップリンク伝送チャネルに対応するビームの柔軟な調整を実現する。以下、図１を参照しながら本発明の実施例を詳しく説明する。
【００５３】
図１は本発明の実施例のアップリンク伝送方法の模式的なフローチャートである。図１における方法はステップ１１０〜ステップ１２０を含む。
【００５４】
ステップ１１０、端末装置はネットワーク装置から送信された、端末装置の少なくとも１つのアップリンク伝送チャネルに対応するビームを指示するための指示情報を受信し、各アップリンク伝送チャネルに対応するビームは前記各アップリンク伝送チャネルを伝送することに用いられる。
【００５５】
本発明の実施例は指示情報の送信方式を具体的に限定せず、例えば、ダウンリンク制御情報（ＤＣＩ：Ｄｏｗｎｌｉｎｋ  Ｃｏｎｔｒｏｌ  Ｉｎｆｏｒｍａｔｉｏｎ）により送信又は他の専用シグナリングにより送信してもよい。
【００５６】
ステップ１２０、端末装置は指示情報に基づいてアップリンク伝送を行う。
【００５７】
本発明の実施例において、ネットワーク装置が端末装置に指示情報を送信して端末装置の少なくとも１つのアップリンク伝送チャネルに対応するビームを指示し、それにより端末装置のアップリンク伝送チャネルに対応するビームを柔軟に調整し、例えば、端末装置のあるアップリンク伝送チャネルに対応するビームが遮断されたとき、ネットワーク装置が端末装置のアップリンク伝送チャネルに新しいビームを割り当てることができ、それにより、ビームが遮断されたために発生するアップリンク伝送失敗の問題が解決される。
【００５８】
なお、本発明の実施例における指示情報（ｉｎｄｉｃａｔｉｏｎ  ｉｎｆｏｒｍａｔｉｏｎ）は更に設定情報（ｃｏｎｆｉｇｕｒａｔｉｏｎ  ｉｎｆｏｒｍａｔｉｏｎ）と称されてもよい。
【００５９】
更に、端末装置の特定指示情報は更に端末装置に対する指示情報、又は端末装置のために単独に設定した情報と称されてもよく、つまり、１つの指示情報は１つの端末装置を単独に指示又は単独に設定し、例えば、端末装置がＵＥである場合、端末装置の特定指示情報はＵＥ  ｓｐｅｃｉｆｉｃ  ｉｎｄｉｃａｔｉｏｎ  ｉｎｆｏｒｍａｔｉｏｎと称されてもよく、同様に、１組の端末装置の特定指示情報は更に１組の端末装置に対する指示情報、又は１組の端末装置のために単独に設定した情報と称されてもよく、つまり、１つの指示情報は１組の端末装置を単独に指示又は単独に設定し、例えば、端末装置がＵＥである場合、１組の端末装置の特定指示情報はＧｒｏｕｐ−ＵＥ  ｓｐｅｃｉｆｉｃ  ｉｎｄｉｃａｔｉｏｎ  ｉｎｆｏｒｍａｔｉｏｎと称されてもよい。
【００６０】
なお、本発明の実施例は端末装置のアップリンク伝送チャネルの種類を具体的に限定せず、例えば、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を含んでもよく、更に他のタイプの上記伝送チャネル、例えば物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）等を含んでもよい。いくつかの実施例において、本発明の実施例の指示情報は端末装置のすべてのアップリンク伝送チャネルを指示又は設定することができる。他の実施例において、本発明の実施例の指示情報は端末装置の、異なるビームのアップリンク測定に用いられる専用チャネル以外のすべての他のアップリンクチャネルを指示又は設定することができる。
【００６１】
なお、以上の少なくとも１つのアップリンク伝送チャネルは、１つの伝送チャネルであってもよいし、複数の伝送チャネルであってもよい。例えば、上記少なくとも１つの伝送チャネルはＰＵＣＣＨであってもよいし、ＰＵＳＣＨであってもよく、又は、上記少なくとも１つの伝送チャネルはＰＵＣＣＨを含むだけでなく、更にＰＵＳＣＨも含む。
【００６２】
なお、上記指示情報は端末装置の少なくとも１つのアップリンク伝送チャネルに対応するビームを指示することに用いられるが、本発明の実施例は少なくとも１つのアップリンク伝送チャネルとビームとの対応関係を具体的に限定せず、例えば、少なくとも１つのアップリンク伝送チャネルには１つのビームが対応してもよく、また、例えば、少なくとも１つのアップリンク伝送チャネルとビームとが１対１に対応してもよく、つまり各アップリンク伝送チャネルにそれぞれ１つのビームが対応してもよい。例えば、少なくとも１つのアップリンク伝送チャネルがＰＵＳＣＨ及びＰＵＣＣＨを含む場合、ＰＵＳＣＨ及びＰＵＣＣＨに１つのビームが対応してもよく、ＰＵＳＣＨ及びＰＵＣＣＨがいずれも該ビームを利用してアップリンク伝送を行うように指示し、又は、ＰＵＳＣＨ及びＰＵＣＣＨにそれぞれ１つのビームが対応してもよく、ＰＵＳＣＨ及びＰＵＣＣＨはそれぞれに対応するビームを利用してアップリンク伝送を行う。
【００６３】
選択的に、いくつかの実施例において、指示情報はターゲットビームの情報を含んでもよく、指示情報は具体的に少なくとも１つのアップリンク伝送チャネルがいずれもターゲットビームを利用してアップリンク伝送を行うように指示することに用いられる。言い換えれば、本発明の実施例における少なくとも１つのアップリンク伝送チャネルは一括して設定され、つまり同じターゲットビームでアップリンク伝送を行う。
【００６４】
更に、本発明の実施例において、上記少なくとも１つのアップリンク伝送チャネルは端末装置のすべてのアップリンク伝送チャネルを含んでもよく（ネットワーク装置に設定された、異なるビームのアップリンク測定に用いられる専用チャネルを含まなくてもよい）、例えば、上記少なくとも１つのアップリンク伝送チャネルはＰＵＳＣＨ及びＰＵＣＣＨを同時に含んでもよく、異なるアップリンク伝送チャネルに対応するビームの設定が同様であるため、本発明の実施例は指示情報によってすべてのアップリンク伝送チャネルに対応するビームを一括して設定し、このような設定方式は実現しやすく、設定効率を向上させることができる。
【００６５】
選択的に、いくつかの実施例において、ターゲットビームの情報はターゲットビームのビーム識別子（ｂｅａｍ  ｉｄｅｎｔｉｔｙ）を含む。
【００６６】
選択的に、いくつかの実施例において、ターゲットビームの情報はターゲットビームのビーム番号（ｂｅａｍ  ｉｎｄｅｘ）を含み、ターゲットビームのビーム番号はターゲットビームが予め設定されたビーム群におけるどのビームであるかを指示することに用いられてもよく、又は、ターゲットビームのビーム番号はターゲットビームの予め設定されたビーム群での位置又は順位を指示することに用いられてもよい。ここで、ビーム群は、ネットワーク装置が高層シグナリングにより端末装置に設定したビーム群であってもよいし、ネットワーク装置が他の方式で端末装置に設定したビーム群であってもよい。
【００６７】
選択的に、いくつかの実施例において、指示情報は少なくとも１つのアップリンク伝送チャネルにおける各アップリンク伝送チャネルに対応するビームの情報を含んでもよい。言い換えれば、指示情報は少なくとも１つのアップリンク伝送チャネルに１対１に対応するビームの情報を含んでもよい。つまり、本発明の実施例において、異なるアップリンク伝送チャネルに異なるビームが対応してもよく、それにより、アップリンク伝送の柔軟性を向上させることができ、このような実現方式を用いるとき、本発明の実施例の指示情報にはアップリンク伝送チャネルの各々に対応するビームの情報が含まれてもよい。
【００６８】
更に、本発明の実施例において、上記少なくとも１つのアップリンク伝送チャネルは端末装置のすべてのアップリンク伝送チャネルを含んでもよく（ネットワーク装置に設定された、異なるビームのアップリンク測定に用いられるチャネルを含まなくてもよい）、例えば、ＰＵＳＣＨ及びＰＵＣＣＨを同時に含んでもよく、指示情報にはＰＵＳＣＨに対応するビームの情報が含まれてもよく、更にＰＵＣＣＨに対応するビームの情報が含まれてもよい。
【００６９】
選択的に、いくつかの実施例において、少なくとも１つのアップリンク伝送チャネルにおける各アップリンク伝送チャネルに対応するビームの情報は、該各アップリンク伝送チャネルに対応するビームのビーム識別子を含む。
【００７０】
具体的に、少なくとも１つのアップリンク伝送チャネルがＫ（Ｋ≧１）個のアップリンク伝送チャネルを含むと仮定する場合、指示情報は［アップリンク伝送チャネル１、ビーム識別子１］、［アップリンク伝送チャネル２、ビーム識別子２］……［アップリンク伝送チャネルＫ、ビーム識別子Ｋ］のような情報を含んでもよい。
【００７１】
選択的に、いくつかの実施例において、少なくとも１つのアップリンク伝送チャネルにおける各アップリンク伝送チャネルに対応するビームの情報は、該各アップリンク伝送チャネルに対応するビームのビーム番号を含み、該各アップリンク伝送チャネルに対応するビームのビーム番号は、該各アップリンク伝送チャネルに対応するビームが予め設定されたビーム群におけるどのビームであるかを指示することに用いられ、又は、該各アップリンク伝送チャネルに対応するビームのビーム番号は、該各アップリンク伝送チャネルに対応するビームの予め設定されたビーム群での位置又は順位を指示することに用いられてもよい。ここで、ビーム群は、ネットワーク装置が高層シグナリングにより端末装置に設定したビーム群であってもよいし、ネットワーク装置が他の方式で端末装置に設定したビーム群であってもよい。
【００７２】
具体的に、少なくとも１つのアップリンク伝送チャネルはＭ（Ｍ≧１）個のアップリンク伝送チャネルを含むと仮定する場合、指示情報は［アップリンク伝送チャネル１、ビーム番号１］、［アップリンク伝送チャネル２、ビーム番号２］……［アップリンク伝送チャネルＭ、ビーム番号Ｍ］のような対応関係情報を含んでもよい。
【００７３】
選択的に、いくつかの実施例において、上記少なくとも１つのアップリンク伝送チャネルは端末装置のアップリンク伝送チャネルの一部であり、端末装置のアップリンク伝送チャネルの一部以外の残りのアップリンク伝送チャネルに対応するビームは変化しないように維持する。
【００７４】
本発明の実施例において、ネットワーク装置から送信される指示情報によって端末装置のアップリンク伝送チャネルの一部に対応するビームのみが設定されてもよく、端末装置の未設定のアップリンク伝送チャネルに対応するビームは変化しないように維持してもよい。つまり、ネットワーク装置は毎回端末装置のすべてのアップリンク伝送チャネルに対応するビームを設定する必要がなく、実際の必要に応じて、いくつかのアップリンク伝送チャネルに対応するビームを選択的に設定してもよく、ネットワーク設定の柔軟性を向上させる。
【００７５】
選択的に、いくつかの実施例において、ステップ１２０は、端末装置が指示情報に基づいて端末装置の各アップリンク伝送チャネルに対応するビームを決定することと、端末装置が端末装置の各アップリンク伝送チャネルに対応するビームに基づいてアップリンク伝送を行うことと、を含んでもよい。
【００７６】
選択的に、いくつかの実施例において、端末装置のアップリンク伝送チャネルは第１アップリンク伝送チャネル及び第２アップリンク伝送チャネルを含んでもよく、且つ、第１アップリンク伝送チャネル及び第２アップリンク伝送チャネルには異なるビームが対応し、上記端末装置が端末装置の各アップリンク伝送チャネルに対応するビームに基づいてアップリンク伝送を行うことは、第１アップリンク伝送チャネル及び第２アップリンク伝送チャネルによって占用された時間領域リソースが重複した（又は、第１アップリンク伝送チャネル及び第２アップリンク伝送チャネルが時間領域において重複（ｏｖｅｒｌａｐ）した）場合、端末装置の送信電力が不足であると、端末装置が第１アップリンク伝送チャネル又は第２アップリンク伝送チャネルに対してパンクチャリング処理を行い、又は、第１アップリンク伝送チャネル又は第２アップリンク伝送チャネルの送信電力を調整することを含んでもよい。
【００７７】
具体的に、本発明の実施例は端末装置が常に各アップリンク伝送チャネルに対応するビームを利用して各アップリンク伝送チャネルを伝送するシーンに適用されてもよく、例えば、第１アップリンク伝送チャネルがＰＵＣＣＨ、第２アップリンク伝送チャネルがＰＵＳＣＨである場合、現在送信対象のＰＵＣＣＨ及びＰＵＳＣＨによって占用された時間領域リソースが重複すると、ＰＵＳＣＨに対してパンクチャリング処理を行ってもよく、例えば、ＰＵＳＣＨにおけるＰＵＣＣＨと重複した時間領域におけるリソース（例えばリソースエレメント（ＲＥ：Ｒｅｓｏｕｒｃｅ  Ｅｌｅｍｅｎｔ））の一部又は全部を除去してもよく、それによりＰＵＣＣＨとＰＵＳＣＨとの重複度を低下させ、ＰＵＣＣＨとＰＵＳＣＨとを同時に送信必要な場合に発生する送信電力不足の現象を緩和する。又は、時間領域の重複部において、ＰＵＳＣＨの送信電力を低下させることで、ＰＵＣＣＨを全電力で送信するように優先的に確保し、ＰＵＳＣＨは残存電力で送信してもよい。
【００７８】
選択的に、いくつかの実施例において、端末装置のアップリンク伝送チャネルは第１アップリンク伝送チャネル及び第２アップリンク伝送チャネルを含み、且つ、第１アップリンク伝送チャネル及び第２アップリンク伝送チャネルには異なるビームが対応し、上記端末装置が端末装置の各アップリンク伝送チャネルに対応するビームに基づいてアップリンク伝送を行うことは、第１アップリンク伝送チャネル及び第２アップリンク伝送チャネルによって占用された時間領域リソースが重複した場合、又は、第１アップリンク伝送チャネル及び第２アップリンク伝送チャネルによって占用された時間領域リソースの重複度がプリセット閾値より大きい場合、端末装置が第２アップリンク伝送チャネルに対応するビームによって第１アップリンク伝送チャネルを伝送することを含んでもよい。
【００７９】
具体的に、例えば、第１アップリンク伝送チャネルがＰＵＣＣＨ、第２アップリンク伝送チャネルがＰＵＳＣＨである場合、いくつかの実施例において、ＰＵＣＣＨ及びＰＵＳＣＨによって占用された時間領域リソースが重複した場合、又は、ＰＵＣＣＨ及びＰＵＳＣＨによって占用された時間領域リソースの重複度がプリセット閾値より大きい場合、ＰＵＳＣＨに対応するビームを利用してＰＵＳＣＨ及びＰＵＣＣＨを送信してもよい。
【００８０】
他の実施例において、ＰＵＣＣＨ及びＰＵＳＣＨによって占用された時間領域リソースが重複した場合、又は、ＰＵＣＣＨ及びＰＵＳＣＨによって占用された時間領域リソースの重複度がプリセット閾値より大きい場合、ＰＵＣＣＨに対応するビームを利用してＰＵＳＣＨを送信してもよい。
【００８１】
本発明の実施例は同一ビームを利用して第１アップリンク伝送チャネル及び第２アップリンク伝送チャネルを伝送し、このように、主なエネルギーを同一ビームに集中することができ、それによりアップリンク伝送の全体性能を向上させることができる。
【００８２】
選択的に、いくつかの実施例において、上記端末装置が端末装置の各アップリンク伝送チャネルに対応するビームに基づいてアップリンク伝送を行うことは、更に、第１アップリンク伝送チャネル及び第２アップリンク伝送チャネルによって占用された時間領域リソースが重複しない場合、又は、第１アップリンク伝送チャネル及び第２アップリンク伝送チャネルによって占用された時間領域リソースの重複度がプリセット閾値より小さい場合、端末装置が第１アップリンク伝送チャネルに対応するビームによって第１アップリンク伝送チャネルを伝送することを含んでもよい。
【００８３】
選択的に、いくつかの実施例において、ネットワーク装置は第１ネットワーク装置であり、第１ネットワーク装置と端末装置とがダウンリンク補助ビーム（及び対応するアップリンク補助ビーム）によって通信し、更に端末装置と第２ネットワーク装置とがダウンリンク主ビーム（及び対応するアップリンク主ビーム）によって通信し、ステップ１１０は、アップリンク・ダウンリンク主ビームが遮断された場合、端末装置は第１ネットワーク装置が補助ビームによって送信した指示情報を受信し、指示情報は端末装置がアップリンク補助ビームを利用してアップリンク伝送を行うように指示することに用いられることを含んでもよい。
【００８４】
上記第１ネットワーク装置と端末とが補助ビームによって通信することとは、第１ネットワーク装置と端末とが補助ビームによってダウンリンク伝送を行うことを指してもよい。
【００８５】
上記端末装置と第２ネットワーク装置とが主ビームによって通信することとは、端末装置と第２ネットワーク装置とがアップリンク・ダウンリンク伝送を行うことを指してもよい。
【００８６】
例えば、第２ネットワーク装置が送受信ポイント（ＴＲＰ：Ｔｒａｎｓｍｉｔ  ａｎｄ  Ｒｅｃｅｉｖｅ  Ｐｏｉｎｔ）１、第１ネットワーク装置がＴＲＰ２であり、端末装置がＴＲＰ１及びＴＲＰ２と同時に通信し、ＴＲＰ１と端末装置とがアップリンク／ダウンリンク主ビーム（アップリンク／ダウンリンク主アクティブビームとも称される）によってアップリンク・ダウンリンク伝送を行い、ＴＲＰ２と端末装置とがダウンリンク補助ビーム（ダウンリンク補助アクティブビームとも称される）によってダウンリンク伝送を行うと仮定する。ある時刻に、端末装置とＴＲＰ１との間のアップリンク主ビームが遮断されたと仮定し、この時、ＴＲＰ２と端末装置とはＤＣＩによって端末装置が対応するアップリンク補助ビームを利用してアップリンク伝送を行うように指示し、つまり端末装置がアップリンク伝送を補助ビームに切り替えるように指示することができる。
【００８７】
本発明の実施例において、アップリンク主ビームが遮断されたとき、端末装置は指示に従ってアップリンク補助ビームを利用してアップリンク伝送を行い続けることができ、それにより通信システムの柔軟性及び信頼性を向上させる。
【００８８】
選択的に、いくつかの実施例において、ネットワーク装置は第１ネットワーク装置であり、ステップ１１０は、端末装置が第１ネットワーク装置から送信された、端末装置が第２ネットワーク装置に切り替えるように指示するための指示情報を受信して、少なくとも１つのアップリンク伝送チャネルに対応するビームに基づいて第２ネットワーク装置とアップリンク伝送を行うことを含んでもよい。
【００８９】
例えば、第１ネットワーク装置がＴＲＰ１、第２ネットワーク装置がＴＲＰ２であり、端末装置とＴＲＰ１とが対応するビームによってアップリンク・ダウンリンク伝送を行うと仮定する。端末装置の移動につれて、端末装置とＴＲＰ２との間の経路損失が小さくなり、及び／又は、端末装置とＴＲＰ２とのビームフォーミングのフォーミングゲインが大きくなり、この時、ＴＲＰ１は端末装置に上記指示情報を送信し、端末装置のために適切なビーム（ＴＲＰ２に対応するアップリンク送信ビーム）を選択し、次に端末装置とＴＲＰ１とのアップリンク伝送をＴＲＰ２に切り替えることができる。端末装置のダウンリンクサービスをＴＲＰ２に切り替えてもよいが、ＴＲＰ２のサービスする端末装置のダウンリンクサービスが比較的に多い（又はダウンリンクサービスの負荷が比較的に大きい）場合、ＴＲＰ１が端末装置とダウンリンク伝送を行い続け、アップリンク伝送のみをＴＲＰ２に切り替える。
【００９０】
選択的に、いくつかの実施例において、端末装置のアップリンク伝送チャネルは第１アップリンク伝送チャネル及び第２アップリンク伝送チャネルを含み、第１アップリンク伝送チャネルはＰＵＣＣＨであり、第２アップリンク伝送チャネルはＰＵＳＣＨである。
【００９１】
選択的に、いくつかの実施例において、ステップ１２０は、端末装置が指示情報に基づいて端末装置の各アップリンク伝送チャネルに対応するビームを決定することと、端末装置が端末装置の各アップリンク伝送チャネルに対応するビームを利用してアップリンク伝送を行うことと、を含んでもよい。
【００９２】
以上、図１を参照しながら、端末装置の角度から本発明の実施例のアップリンク伝送方法を詳しく説明したが、以下は図２を参照しながら、ネットワーク装置の角度から本発明の実施例のアップリンク伝送方法を詳しく説明する。ネットワーク装置の角度からの説明と端末装置の角度からの説明とは互いに対応し、類似する説明は以上の説明を参照してもよく、重複を避けるために、ここで詳細な説明は省略すると理解すべきである。
【００９３】
図２は本発明の実施例のアップリンク伝送方法の模式的なフローチャートである。図２における方法は、
ネットワーク装置が前記端末装置の少なくとも１つのアップリンク伝送チャネルに対応するビームを指示するための指示情報を生成し、各アップリンク伝送チャネルに対応するビームは前記各アップリンク伝送チャネルを伝送することに用いられるステップ２１０と、
前記ネットワーク装置が前記端末装置に前記指示情報を送信するステップ２２０と、を含む。
【００９４】
本発明の実施例において、ネットワーク装置が端末装置に指示情報を送信して端末装置の少なくとも１つのアップリンク伝送チャネルに対応するビームを指示し、それにより端末装置のアップリンク伝送チャネルに対応するビームを柔軟に調整し、例えば、端末装置のあるアップリンク伝送チャネルに対応するビームが遮断されたとき、ネットワーク装置が端末装置のアップリンク伝送チャネルに新しいビームを割り当てることができ、それによって、ビームが遮断されたために発生するアップリンク伝送失敗の問題を解決できる。
【００９５】
選択的に、いくつかの実施例において、前記指示情報はターゲットビームの情報を含み、前記指示情報は具体的に前記少なくとも１つのアップリンク伝送チャネルにおける各アップリンク伝送チャネルが共通して前記ターゲットビームを利用してアップリンク伝送を行うように指示することに用いられる。
【００９６】
選択的に、いくつかの実施例において、前記ターゲットビームの情報は前記ターゲットビームのビーム識別子を含む。
【００９７】
選択的に、いくつかの実施例において、前記ターゲットビームの情報は前記ターゲットビームが予め設定されたビーム群におけるどのビームであるかを指示するための前記ターゲットビームのビーム番号を含む。
【００９８】
選択的に、いくつかの実施例において、前記指示情報は前記少なくとも１つのアップリンク伝送チャネルにおける各アップリンク伝送チャネルに対応するビームの情報を含む。
【００９９】
選択的に、いくつかの実施例において、前記各アップリンク伝送チャネルに対応するビームの情報は前記各アップリンク伝送チャネルに対応するビームのビーム識別子を含む。
【０１００】
選択的に、いくつかの実施例において、前記各アップリンク伝送チャネルに対応するビームの情報は前記各アップリンク伝送チャネルに対応するビームのビーム番号を含み、前記各アップリンク伝送チャネルに対応するビームのビーム番号は前記各アップリンク伝送チャネルに対応するビームが予め設定されたビーム群におけるどのビームであるかを指示することに用いられる。
【０１０１】
選択的に、いくつかの実施例において、前記ビーム群は前記ネットワーク装置が高層シグナリングにより前記端末装置に設定したビーム群である。
【０１０２】
選択的に、いくつかの実施例において、前記少なくとも１つのアップリンク伝送チャネルは前記端末装置のアップリンク伝送チャネルの一部であり、前記端末装置の前記アップリンク伝送チャネルの一部以外の残りのアップリンク伝送チャネルに対応するビームは変化しないように維持する。
【０１０３】
選択的に、いくつかの実施例において、端末装置のアップリンク伝送チャネルは第１アップリンク伝送チャネル及び第２アップリンク伝送チャネルを含み、且つ、第１アップリンク伝送チャネル及び第２アップリンク伝送チャネルには異なるビームが対応し、図２における方法は、更に、第１アップリンク伝送チャネル及び第２アップリンク伝送チャネルによって占用された時間領域リソースが重複した場合、又は、第１アップリンク伝送チャネル及び第２アップリンク伝送チャネルによって占用された時間領域リソースの重複度がプリセット閾値より大きい場合、ネットワーク装置が第２アップリンク伝送チャネルに対応するビームによって第１アップリンク伝送チャネルを受信することを含んでもよい。
【０１０４】
選択的に、いくつかの実施例において、図２における方法は、更に、第１アップリンク伝送チャネル及び第２アップリンク伝送チャネルによって占用された時間領域リソースが重複しない場合、又は、第１アップリンク伝送チャネル及び第２アップリンク伝送チャネルによって占用された時間領域リソースの重複度がプリセット閾値より小さい場合、ネットワーク装置が第１アップリンク伝送チャネルに対応するビームによって第１アップリンク伝送チャネルを受信することを含んでもよい。
【０１０５】
選択的に、いくつかの実施例において、前記ネットワーク装置は第１ネットワーク装置であり、前記第１ネットワーク装置と前記端末装置とが補助ビームによって通信し、前記端末装置と第２ネットワーク装置とが主ビームによって通信し、ステップ２２０は、前記主ビームが遮断された場合、前記第１ネットワーク装置が前記補助ビームによって前記端末装置に前記指示情報を送信し、前記指示情報は前記端末装置が前記補助ビームを利用してアップリンク伝送を行うように指示することに用いられることを含んでもよい。
【０１０６】
選択的に、いくつかの実施例において、前記ネットワーク装置は第１ネットワーク装置であり、ステップ２２０は、前記第１ネットワーク装置が前記端末装置に前記指示情報を送信し、前記指示情報は前記端末装置が第２ネットワーク装置に切り替えて、且つ前記少なくとも１つのアップリンク伝送チャネルに対応するビームに基づいて前記第２ネットワーク装置とアップリンク伝送を行うように指示することに用いられることを含んでもよい。
【０１０７】
選択的に、いくつかの実施例において、前記端末装置のアップリンク伝送チャネルは第１アップリンク伝送チャネル及び第２アップリンク伝送チャネルを含み、前記第１アップリンク伝送チャネルはＰＵＣＣＨであり、前記第２アップリンク伝送チャネルはＰＵＳＣＨである。
【０１０８】
選択的に、いくつかの実施例において、前記指示情報は端末装置の特定指示情報であり、又は前記指示情報は１組の端末装置の特定指示情報である。
【０１０９】
選択的に、いくつかの実施例において、前記指示情報は前記ネットワーク装置がＤＣＩによって送信したものである。
【０１１０】
以上、図１〜図２を参照しながら、本発明の方法実施例を詳しく説明したが、以下は図３〜図６を参照しながら、本発明の装置実施例を詳しく説明し、装置実施例と方法実施例とは相互に対応し、類似する説明は方法実施例を参照してもよいと理解すべきである。
【０１１１】
図３は本発明の実施例の端末装置の模式的なブロック図である。図３における端末装置３００は、
ネットワーク装置から送信された、前記端末装置３００の少なくとも１つのアップリンク伝送チャネルに対応するビームを指示するための指示情報を受信することに用いられ、各アップリンク伝送チャネルに対応するビームは前記各アップリンク伝送チャネルを伝送することに用いられる受信ユニット３１０と、
前記指示情報に基づいてアップリンク伝送を行うための伝送ユニット３２０と、を含む。
【０１１２】
選択的に、いくつかの実施例において、前記指示情報はターゲットビームの情報を含み、前記指示情報は具体的に前記少なくとも１つのアップリンク伝送チャネルがいずれも前記ターゲットビームを利用してアップリンク伝送を行うように指示することに用いられる。
【０１１３】
選択的に、いくつかの実施例において、前記ターゲットビームの情報は前記ターゲットビームのビーム識別子を含む。
【０１１４】
選択的に、いくつかの実施例において、前記ターゲットビームの情報は前記ターゲットビームが予め設定されたビーム群におけるどのビームであるかを指示するための前記ターゲットビームのビーム番号を含む。
【０１１５】
選択的に、いくつかの実施例において、前記指示情報は前記少なくとも１つのアップリンク伝送チャネルにおける各アップリンク伝送チャネルに対応するビームの情報を含む。
【０１１６】
選択的に、いくつかの実施例において、前記各アップリンク伝送チャネルに対応するビームの情報は前記各アップリンク伝送チャネルに対応するビームのビーム識別子を含む。
【０１１７】
選択的に、いくつかの実施例において、前記各アップリンク伝送チャネルに対応するビームの情報は前記各アップリンク伝送チャネルに対応するビームのビーム番号を含み、前記各アップリンク伝送チャネルに対応するビームのビーム番号は、前記各アップリンク伝送チャネルに対応するビームが予め設定されたビーム群におけるどのビームであるかを指示することに用いられる。
【０１１８】
選択的に、いくつかの実施例において、前記ビーム群は前記ネットワーク装置が高層シグナリングにより前記端末装置３００に設定したビーム群である。
【０１１９】
選択的に、いくつかの実施例において、前記少なくとも１つのアップリンク伝送チャネルは前記端末装置３００のアップリンク伝送チャネルの一部であり、前記端末装置３００の前記アップリンク伝送チャネルの一部以外の残りのアップリンク伝送チャネルに対応するビームは変化しないように維持する。
【０１２０】
選択的に、いくつかの実施例において、前記伝送ユニット３２０は、具体的に、前記指示情報に基づいて前記端末装置３００の各アップリンク伝送チャネルに対応するビームを決定し、前記端末装置３００の各アップリンク伝送チャネルに対応するビームに基づいて前記アップリンク伝送を行うことに用いられる。
【０１２１】
選択的に、いくつかの実施例において、前記端末装置３００のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記伝送ユニット３２０は、具体的に、前記第１アップリンク伝送チャネル及び前記第２アップリンク伝送チャネルによって占用された時間領域リソースが重複した場合、前記端末装置３００の送信電力が不足であると、前記第１アップリンク伝送チャネル又は前記第２アップリンク伝送チャネルに対してパンクチャリング処理を行い、又は、前記第１アップリンク伝送チャネル又は前記第２アップリンク伝送チャネルの送信電力を調整することに用いられる。
【０１２２】
選択的に、いくつかの実施例において、前記端末装置３００のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記伝送ユニット３２０は、具体的に、前記第１アップリンク伝送チャネル及び前記第２アップリンク伝送チャネルによって占用された時間領域リソースが重複した場合、又は、前記第１アップリンク伝送チャネル及び前記第２アップリンク伝送チャネルによって占用された時間領域リソースの重複度がプリセット閾値より大きい場合、前記第２アップリンク伝送チャネルに対応するビームによって前記第１アップリンク伝送チャネルを伝送することに用いられる。
【０１２３】
選択的に、いくつかの実施例において、前記伝送ユニット３２０は、更に、前記第１アップリンク伝送チャネル及び前記第２アップリンク伝送チャネルによって占用された時間領域リソースが重複しない場合、又は、前記第１アップリンク伝送チャネル及び前記第２アップリンク伝送チャネルによって占用された時間領域リソースの重複度がプリセット閾値より小さい場合、前記第１アップリンク伝送チャネルに対応するビームによって前記第１アップリンク伝送チャネルを伝送することに用いられる。
【０１２４】
選択的に、いくつかの実施例において、前記ネットワーク装置は第１ネットワーク装置であり、前記第１ネットワーク装置と前記端末装置３００とが補助ビームによって通信し、前記端末装置３００と第２ネットワーク装置とが主ビームによって通信し、前記受信ユニット３１０は、具体的に、前記主ビームが遮断された場合、前記第１ネットワーク装置が前記補助ビームによって送信した前記指示情報を受信することに用いられ、前記指示情報は前記端末装置３００が前記補助ビームを利用してアップリンク伝送を行うように指示することに用いられる。
【０１２５】
選択的に、いくつかの実施例において、前記ネットワーク装置は第１ネットワーク装置であり、前記受信ユニット３１０は、具体的に、前記第１ネットワーク装置から送信された前記指示情報を受信することに用いられ、前記指示情報は前記端末装置３００が第２ネットワーク装置に切り替えて、且つ前記少なくとも１つのアップリンク伝送チャネルに対応するビームに基づいて前記第２ネットワーク装置とアップリンク伝送を行うように指示することに用いられる。
【０１２６】
選択的に、いくつかの実施例において、前記端末装置３００のアップリンク伝送チャネルは第１アップリンク伝送チャネル及び第２アップリンク伝送チャネルを含み、前記第１アップリンク伝送チャネルは物理アップリンク制御チャネルＰＵＣＣＨであり、前記第２アップリンク伝送チャネルは物理アップリンク共有チャネルＰＵＳＣＨである。
【０１２７】
選択的に、いくつかの実施例において、前記指示情報は端末装置３００の特定指示情報であり、又は前記指示情報は１組の端末装置３００の特定指示情報である。
【０１２８】
選択的に、いくつかの実施例において、前記指示情報は前記ネットワーク装置がダウンリンク制御情報ＤＣＩによって送信したものである。
【０１２９】
図４は本発明の実施例のネットワーク装置の模式的なブロック図である。図４におけるネットワーク装置４００は、
前記端末装置の少なくとも１つのアップリンク伝送チャネルに対応するビームを指示するための指示情報を生成することに用いられ、各アップリンク伝送チャネルに対応するビームは前記各アップリンク伝送チャネルを伝送することに用いられる生成ユニット４１０と、
前記端末装置に前記指示情報を送信するための送信ユニット４２０と、を含む。
【０１３０】
選択的に、いくつかの実施例において、前記指示情報はターゲットビームの情報を含み、前記指示情報は具体的に前記少なくとも１つのアップリンク伝送チャネルがいずれも前記ターゲットビームを利用してアップリンク伝送を行うように指示することに用いられる。
【０１３１】
選択的に、いくつかの実施例において、前記ターゲットビームの情報は前記ターゲットビームのビーム識別子を含む。
【０１３２】
選択的に、いくつかの実施例において、前記ターゲットビームの情報は前記ターゲットビームのビーム番号を含み、前記ターゲットビームのビーム番号は前記ターゲットビームが予め設定されたビーム群におけるどのビームであるかを指示することに用いられる。
【０１３３】
選択的に、いくつかの実施例において、前記指示情報は前記少なくとも１つのアップリンク伝送チャネルにおける各アップリンク伝送チャネルに対応するビームの情報を含む。
【０１３４】
選択的に、いくつかの実施例において、前記各アップリンク伝送チャネルに対応するビームの情報は前記各アップリンク伝送チャネルに対応するビームのビーム識別子を含む。
【０１３５】
選択的に、いくつかの実施例において、前記各アップリンク伝送チャネルに対応するビームの情報は前記各アップリンク伝送チャネルに対応するビームのビーム番号を含み、前記各アップリンク伝送チャネルに対応するビームのビーム番号は、前記各アップリンク伝送チャネルに対応するビームが予め設定されたビーム群におけるどのビームであるかを指示することに用いられる。
【０１３６】
選択的に、いくつかの実施例において、前記ビーム群は前記ネットワーク装置４００が高層シグナリングにより前記端末装置に設定したビーム群である。
【０１３７】
選択的に、いくつかの実施例において、前記少なくとも１つのアップリンク伝送チャネルは前記端末装置のアップリンク伝送チャネルの一部であり、前記端末装置の前記アップリンク伝送チャネルの一部以外の残りのアップリンク伝送チャネルに対応するビームは変化しないように維持する。
【０１３８】
選択的に、いくつかの実施例において、前記端末装置のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記ネットワーク装置４００は、更に、前記第１アップリンク伝送チャネル及び前記第２アップリンク伝送チャネルによって占用された時間領域リソースが重複した場合、又は、前記第１アップリンク伝送チャネル及び前記第２アップリンク伝送チャネルによって占用された時間領域リソースの重複度がプリセット閾値より大きい場合、前記第２アップリンク伝送チャネルに対応するビームによって前記第１アップリンク伝送チャネルを受信するための第１受信ユニットを含む。
【０１３９】
選択的に、いくつかの実施例において、前記ネットワーク装置４００は、更に、前記第１アップリンク伝送チャネル及び前記第２アップリンク伝送チャネルによって占用された時間領域リソースが重複しない場合、又は、前記第１アップリンク伝送チャネル及び前記第２アップリンク伝送チャネルによって占用された時間領域リソースの重複度がプリセット閾値より小さい場合、前記第１アップリンク伝送チャネルに対応するビームによって前記第１アップリンク伝送チャネルを受信するための第２受信ユニットを含む。
【０１４０】
選択的に、いくつかの実施例において、前記ネットワーク装置４００は第１ネットワーク装置であり、前記第１ネットワーク装置と前記端末装置とが補助ビームによって通信し、前記端末装置と第２ネットワーク装置とが主ビームによって通信し、前記送信ユニット４２０は、具体的に、前記主ビームが遮断された場合、前記補助ビームによって前記端末装置に前記指示情報を送信することに用いられ、前記指示情報は前記端末装置が前記補助ビームを利用してアップリンク伝送を行うように指示することに用いられる。
【０１４１】
選択的に、いくつかの実施例において、前記ネットワーク装置４００は第１ネットワーク装置であり、前記送信ユニット４２０は具体的に前記端末装置に前記指示情報を送信することに用いられ、前記指示情報は前記端末装置が第２ネットワーク装置に切り替えて、且つ前記少なくとも１つのアップリンク伝送チャネルに対応するビームに基づいて前記第２ネットワーク装置とアップリンク伝送を行うように指示することに用いられる。
【０１４２】
選択的に、いくつかの実施例において、前記端末装置のアップリンク伝送チャネルは第１アップリンク伝送チャネル及び第２アップリンク伝送チャネルを含み、前記第１アップリンク伝送チャネルは物理アップリンク制御チャネルＰＵＣＣＨであり、前記第２アップリンク伝送チャネルは物理アップリンク共有チャネルＰＵＳＣＨである。
【０１４３】
選択的に、いくつかの実施例において、前記指示情報は端末装置の特定指示情報であり、又は前記指示情報は１組の端末装置の特定指示情報である。
【０１４４】
選択的に、いくつかの実施例において、前記指示情報は前記ネットワーク装置４００がダウンリンク制御情報ＤＣＩによって送信したものである。
【０１４５】
図５は本発明の実施例の端末装置の模式的なブロック図である。図５における端末装置５００はメモリ５１０、プロセッサ５２０及び送受信機５３０を備え、前記メモリ５１０はプログラムを記憶することに用いられ、前記プロセッサ５２０はプログラムを実行することに用いられ、前記プログラムが実行されるとき、前記プロセッサ５２０は、ネットワーク装置から送信された、前記端末装置５００の少なくとも１つのアップリンク伝送チャネルに対応するビームを指示するための指示情報を、前記送受信機５３０によって受信し、各アップリンク伝送チャネルに対応するビームは前記各アップリンク伝送チャネルを伝送することに用いられ、前記指示情報に基づいてアップリンク伝送を行う。
【０１４６】
選択的に、いくつかの実施例において、前記指示情報はターゲットビームの情報を含み、前記指示情報は具体的に前記少なくとも１つのアップリンク伝送チャネルがいずれも前記ターゲットビームを利用してアップリンク伝送を行うように指示することに用いられる。
【０１４７】
選択的に、いくつかの実施例において、前記ターゲットビームの情報は前記ターゲットビームのビーム識別子を含む。
【０１４８】
選択的に、いくつかの実施例において、前記ターゲットビームの情報は前記ターゲットビームのビーム番号を含み、前記ターゲットビームのビーム番号は前記ターゲットビームが予め設定されたビーム群におけるどのビームであるかを指示することに用いられる。
【０１４９】
選択的に、いくつかの実施例において、前記指示情報は前記少なくとも１つのアップリンク伝送チャネルにおける各アップリンク伝送チャネルに対応するビームの情報を含む。
【０１５０】
選択的に、いくつかの実施例において、前記各アップリンク伝送チャネルに対応するビームの情報は前記各アップリンク伝送チャネルに対応するビームのビーム識別子を含む。
【０１５１】
選択的に、いくつかの実施例において、前記各アップリンク伝送チャネルに対応するビームの情報は前記各アップリンク伝送チャネルに対応するビームのビーム番号を含み、前記各アップリンク伝送チャネルに対応するビームのビーム番号は前記各アップリンク伝送チャネルに対応するビームが予め設定されたビーム群におけるどのビームであるかを指示することに用いられる。
【０１５２】
選択的に、いくつかの実施例において、前記ビーム群は前記ネットワーク装置が高層シグナリングにより前記端末装置５００に設定したビーム群である。
【０１５３】
選択的に、いくつかの実施例において、前記少なくとも１つのアップリンク伝送チャネルは前記端末装置５００のアップリンク伝送チャネルの一部であり、前記端末装置５００の前記アップリンク伝送チャネルの一部以外の残りのアップリンク伝送チャネルに対応するビームは変化しないように維持する。
【０１５４】
選択的に、いくつかの実施例において、前記プロセッサ５２０は、具体的に、前記指示情報に基づいて前記端末装置５００の各アップリンク伝送チャネルに対応するビームを決定し、前記端末装置５００の各アップリンク伝送チャネルに対応するビームに基づいて前記送受信機５３０によって前記アップリンク伝送を行うことに用いられる。
【０１５５】
選択的に、いくつかの実施例において、前記端末装置５００のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記プロセッサ５２０は、具体的に、前記第１アップリンク伝送チャネル及び前記第２アップリンク伝送チャネルによって占用された時間領域リソースが重複した場合、前記端末装置５００の送信電力が不足であると、前記第１アップリンク伝送チャネル又は前記第２アップリンク伝送チャネルに対してパンクチャリング処理を行い、又は、前記第１アップリンク伝送チャネル又は前記第２アップリンク伝送チャネルの送信電力を調整することに用いられる。
【０１５６】
選択的に、いくつかの実施例において、前記端末装置５００のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記プロセッサ５２０は、具体的に、前記第１アップリンク伝送チャネル及び前記第２アップリンク伝送チャネルによって占用された時間領域リソースが重複した場合、又は、前記第１アップリンク伝送チャネル及び前記第２アップリンク伝送チャネルによって占用された時間領域リソースの重複度がプリセット閾値より大きい場合、前記送受信機５３０により、前記第２アップリンク伝送チャネルに対応するビームによって前記第１アップリンク伝送チャネルを伝送することに用いられる。
【０１５７】
選択的に、いくつかの実施例において、前記プロセッサ５２０は、更に、前記第１アップリンク伝送チャネル及び前記第２アップリンク伝送チャネルによって占用された時間領域リソースが重複しない場合、又は、前記第１アップリンク伝送チャネル及び前記第２アップリンク伝送チャネルによって占用された時間領域リソースの重複度がプリセット閾値より小さい場合、前記送受信機５３０により、前記第１アップリンク伝送チャネルに対応するビームによって前記第１アップリンク伝送チャネルを伝送することに用いられる。
【０１５８】
選択的に、いくつかの実施例において、前記ネットワーク装置は第１ネットワーク装置であり、前記第１ネットワーク装置と前記端末装置５００とが補助ビームによって通信し、前記端末装置５００と第２ネットワーク装置とが主ビームによって通信し、前記プロセッサ５２０は、具体的に、前記主ビームが遮断された場合、前記第１ネットワーク装置が前記補助ビームによって送信した前記指示情報を前記送受信機５３０により受信することに用いられ、前記指示情報は前記端末装置５００が前記補助ビームを利用してアップリンク伝送を行うように指示することに用いられる。
【０１５９】
選択的に、いくつかの実施例において、前記ネットワーク装置は第１ネットワーク装置であり、前記プロセッサ５２０は具体的に前記第１ネットワーク装置から送信された前記指示情報を前記送受信機５３０により受信することに用いられ、前記指示情報は前記端末装置５００が第２ネットワーク装置に切り替えて、且つ前記少なくとも１つのアップリンク伝送チャネルに対応するビームに基づいて前記第２ネットワーク装置とアップリンク伝送を行うように指示することに用いられる。
【０１６０】
選択的に、いくつかの実施例において、前記端末装置５００のアップリンク伝送チャネルは第１アップリンク伝送チャネル及び第２アップリンク伝送チャネルを含み、前記第１アップリンク伝送チャネルは物理アップリンク制御チャネルＰＵＣＣＨであり、前記第２アップリンク伝送チャネルは物理アップリンク共有チャネルＰＵＳＣＨである。
【０１６１】
選択的に、いくつかの実施例において、前記指示情報は端末装置５００の特定指示情報であり、又は前記指示情報は１組の端末装置５００の特定指示情報である。
【０１６２】
選択的に、いくつかの実施例において、前記指示情報は前記ネットワーク装置がダウンリンク制御情報ＤＣＩによって送信したものである。
【０１６３】
図６は本発明の実施例のネットワーク装置の模式的なブロック図である。図６におけるネットワーク装置６００はメモリ６１０、プロセッサ６２０及び送受信機６３０を備え、前記メモリ６１０はプログラムを記憶することに用いられ、前記プロセッサ６２０はプログラムを実行することに用いられ、前記プログラムが実行されるとき、前記プロセッサ６２０は前記端末装置の少なくとも１つのアップリンク伝送チャネルに対応するビームを指示するための指示情報を生成することに用いられ、各アップリンク伝送チャネルに対応するビームは前記各アップリンク伝送チャネルを伝送することに用いられ、前記送受信機６３０は前記端末装置に前記指示情報を送信することに用いられる。
【０１６４】
選択的に、いくつかの実施例において、前記指示情報はターゲットビームの情報を含み、前記指示情報は具体的に前記少なくとも１つのアップリンク伝送チャネルがいずれも前記ターゲットビームを利用してアップリンク伝送を行うように指示することに用いられる。
【０１６５】
選択的に、いくつかの実施例において、前記ターゲットビームの情報は前記ターゲットビームのビーム識別子を含む。
【０１６６】
選択的に、いくつかの実施例において、前記ターゲットビームの情報は前記ターゲットビームのビーム番号を含み、前記ターゲットビームのビーム番号は前記ターゲットビームが予め設定されたビーム群におけるどのビームであるかを指示することに用いられる。
【０１６７】
選択的に、いくつかの実施例において、前記指示情報は前記少なくとも１つのアップリンク伝送チャネルにおける各アップリンク伝送チャネルに対応するビームの情報を含む。
【０１６８】
選択的に、いくつかの実施例において、前記各アップリンク伝送チャネルに対応するビームの情報は前記各アップリンク伝送チャネルに対応するビームのビーム識別子を含む。
【０１６９】
選択的に、いくつかの実施例において、前記各アップリンク伝送チャネルに対応するビームの情報は前記各アップリンク伝送チャネルに対応するビームのビーム番号を含み、前記各アップリンク伝送チャネルに対応するビームのビーム番号は前記各アップリンク伝送チャネルに対応するビームが予め設定されたビーム群におけるどのビームであるかを指示することに用いられる。
【０１７０】
選択的に、いくつかの実施例において、前記ビーム群は前記ネットワーク装置６００が高層シグナリングにより前記端末装置に設定したビーム群である。
【０１７１】
選択的に、いくつかの実施例において、前記少なくとも１つのアップリンク伝送チャネルは前記端末装置のアップリンク伝送チャネルの一部であり、前記端末装置の前記アップリンク伝送チャネルの一部以外の残りのアップリンク伝送チャネルに対応するビームは変化しないように維持する。
【０１７２】
選択的に、いくつかの実施例において、前記端末装置のアップリンク伝送チャネルは第１アップリンク伝送チャネル及び第２アップリンク伝送チャネルを含み、且つ、前記第１アップリンク伝送チャネル及び前記第２アップリンク伝送チャネルには異なるビームが対応し、前記送受信機６３０は、更に、前記第１アップリンク伝送チャネル及び前記第２アップリンク伝送チャネルによって占用された時間領域リソースが重複した場合、又は、前記第１アップリンク伝送チャネル及び前記第２アップリンク伝送チャネルによって占用された時間領域リソースの重複度がプリセット閾値より大きい場合、前記第２アップリンク伝送チャネルに対応するビームによって前記第１アップリンク伝送チャネルを受信することに用いられる。
【０１７３】
選択的に、いくつかの実施例において、前記送受信機６３０は、更に、前記第１アップリンク伝送チャネル及び前記第２アップリンク伝送チャネルによって占用された時間領域リソースが重複しない場合、又は、前記第１アップリンク伝送チャネル及び前記第２アップリンク伝送チャネルによって占用された時間領域リソースの重複度がプリセット閾値より小さい場合、前記第１アップリンク伝送チャネルに対応するビームによって前記第１アップリンク伝送チャネルを受信することに用いられる。
【０１７４】
選択的に、いくつかの実施例において、前記ネットワーク装置６００は第１ネットワーク装置であり、前記第１ネットワーク装置と前記端末装置とが補助ビームによって通信し、前記端末装置と第２ネットワーク装置とが主ビームによって通信し、前記送受信機６３０は、具体的に、前記主ビームが遮断された場合、前記補助ビームによって前記端末装置に前記指示情報を送信することに用いられ、前記指示情報は前記端末装置が前記補助ビームを利用してアップリンク伝送を行うように指示することに用いられる。
【０１７５】
選択的に、いくつかの実施例において、前記ネットワーク装置６００は第１ネットワーク装置であり、前記送受信機６３０は更に前記端末装置に前記指示情報を送信することに用いられ、前記指示情報は前記端末装置が第２ネットワーク装置に切り替えて、且つ前記少なくとも１つのアップリンク伝送チャネルに対応するビームに基づいて前記第２ネットワーク装置とアップリンク伝送を行うように指示することに用いられる。
【０１７６】
選択的に、いくつかの実施例において、前記端末装置のアップリンク伝送チャネルは第１アップリンク伝送チャネル及び第２アップリンク伝送チャネルを含み、前記第１アップリンク伝送チャネルは物理アップリンク制御チャネルＰＵＣＣＨであり、前記第２アップリンク伝送チャネルは物理アップリンク共有チャネルＰＵＳＣＨである。
【０１７７】
選択的に、いくつかの実施例において、前記指示情報は端末装置の特定指示情報であり、又は前記指示情報は１組の端末装置の特定指示情報である。
【０１７８】
選択的に、いくつかの実施例において、前記指示情報は前記ネットワーク装置６００がダウンリンク制御情報ＤＣＩによって送信したものである。
【０１７９】
本願に係るいくつかの実施例において、開示されたシステム、装置及び方法は他の方式で実現されてもよいと理解すべきである。例えば、以上に説明された装置実施例は模式的なものに過ぎず、例えば、前記ユニットの区分は論理機能上の区分に過ぎず、実際に実現するとき、他の区分方式を用いてもよく、例えば複数のユニット又はコンポーネントは他のシステムに結合又は統合されてもよく、又は、いくつかの特徴は省略してもよく、又は実行しなくてもよい。一方、表示又は検討される相互間のカップリング又は直接カップリング又は通信接続はいくつかのインターフェース、装置又はユニットによる間接カップリング又は通信接続であってもよく、電気的、機械的又は他の形式であってもよい。
【０１８０】
分離部材として説明された前記ユニットは物理的に分離してもよいし、物理的に分離しなくてもよく、ユニットとして表示された部材は物理ユニットであってもよいし、物理ユニットでなくてもよく、つまり、一箇所に位置してもよいし、複数のネットワークユニットに分布してもよい。実際の必要に応じて、その一部又は全部のユニットを選択して本実施例考案の目的を実現してもよい。
【０１８１】
また、本発明の各実施例において、各機能ユニットは１つの処理ユニットに集積されてもよく、各ユニットは独立して物理的に存在してもよく、２つ又は２つ以上のユニットは１つのユニットに集積されてもよい。
【０１８２】
前記機能がソフトウェア機能ユニットの形式で実現され、且つ独立した製品として販売又は使用されるとき、１つのコンピュータ可読記憶媒体に記憶されてもよい。このような理解に基づき、本発明の技術案の本質又は従来技術に貢献する部分又は該技術案の部分はソフトウェア製品の形式で具現されてもよく、該コンピュータソフトウェア製品は、１台のコンピュータ装置（パーソナルコンピュータ、サーバ、又はネットワーク装置等であってもよい）に本発明の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【図１】
0006867484.tif 000002
【図２】
0006867484.tif 000003
【図３】
0006867484.tif 000004
【図４】
0006867484.tif 000005
【図５】
0006867484.tif 000006
【図６】
0006867484.tif 000007